(57)【要約】【課題】広い範囲の深層筋に効果があり、かつ、含まれる高周波の周波数下降時に生じるチクチクといった不快な刺激感を低減した波形発生装置を提供する。【解決手段】パルス列信号発振手段は高周波変化カーブ関数に基づいてパルス列信号を後段に出力し、パルス緩急時間設定手段は、パルス緩急時間設定関数に基づいて時刻（ｔ１）におけるパルス緩急時間（Ｃ１）を得て、パルス緩急時間（Ｃ１）経過後の時刻を時刻（ｔ２）とし、短縮係数設定手段は、高周波変化カーブ関数に基づいて、時刻（ｔ１）における短縮係数（Ｋ１）を設定し、パルス列出力時間設定手段は、暫定出力時間設定関数に基づいて、時刻（ｔ１）における暫定出力時間（Ｂ１）を設定し、時刻（ｔ１）にパルス列信号を生体に出力開始し、暫定出力時間（Ｂ１）に短縮係数（Ｋ１）を乗じた時間をパルス列出力時間（Ｄ１）とし、時刻（ｔ１）からパルス列出力時間（Ｄ１）経過後に生体への出力を停止し、以降も同様の手順で動作して電気的刺激を生体に与える構成を採る。【選択図】図３
2020130994.tif 000002
【特許請求の範囲】
【請求項１】
１００ｋＨｚ以上、１ＭＨｚ以下の高周波パルスであって、時刻（ｔ）の経過に従ってあらかじめ定めた高周波変化カーブ関数に基づいて、前記高周波パルスの周波数が第１の周波数と前記第１の周波数より低い第２の周波数の間を、変化するパルス列信号を発振するパルス列信号発振手段と、
前記時刻（ｔ）の経過に従って前記第１の周波数においての短縮係数（Ｋ）を最大値としての数値の「１」とし、前記第２の周波数において前記短縮係数（Ｋ）が最も小さくなる数値とし、前記第１の周波数と前記第２の周波数との間の前記高周波パルスの各周波数における短縮係数（Ｋ）を前記高周波変化カーブ関数に基づいて、若しくは、前記時刻（ｔ）の経過に従って前記高周波変化カーブ関数の増加傾斜度が最大時の短縮係数（Ｋ）を最大値としての数値の「１」とし、前記高周波変化カーブ関数の減少傾斜度が最大時において前記短縮係数（Ｋ）が最も小さくなる数値とし、前記高周波変化カーブ関数の増加傾斜度が最大時と減少傾斜度が最大時との間の前記高周波パルスの各周波数における前記短縮係数（Ｋ）を前記高周波変化カーブ関数に基づいて、設定する短縮係数設定手段と、
前記時刻（ｔ）の経過に従って、あらかじめ定めた暫定出力時間設定関数に基づいて、暫定出力時間（Ｂ）を設定し、前記暫定出力時間（Ｂ）と前記短縮係数（Ｋ）とからパルス列出力時間（Ｄ）を設定するパルス列出力時間設定手段と、
前記パルス列出力時間（Ｄ）と前記パルス列出力時間（Ｄ）に続く休止期間との合計時間をパルス緩急時間（Ｃ）としたとき、前記パルス緩急時間（Ｃ）は１００μ秒以上の時間で、かつ、前記暫定出力時間（Ｂ）より長い時間であって、前記時刻（ｔ）の経過に従って、あらかじめ定めたパルス緩急時間設定関数に基づいて、前記パルス緩急時間（Ｃ）を設定するパルス緩急時間設定手段とを備え、
時刻（ｔ）の経過と共に前記パルス列信号発振手段は前記高周波変化カーブ関数に基づいて前記パルス列信号を前記パルス緩急時間設定手段及び前記パルス列出力時間設定手段に出力し、
動作を開始する時刻（ｔ１）において、前記パルス列出力時間設定手段は、前記暫定出力時間設定関数に基づいて、暫定出力時間（Ｂ１）を設定し、前記パルス列信号発振手段より出力された前記パルス列信号を生体に出力開始し、
前記短縮係数設定手段は、前記高周波変化カーブ関数に基づいて、前記時刻（ｔ１）における短縮係数（Ｋ１）を設定し、
前記パルス列出力時間設定手段は、前記暫定出力時間（Ｂ１）に前記短縮係数（Ｋ１）を乗じた時間をパルス列出力時間（Ｄ１）とし、前記時刻（ｔ１）から前記パルス列出力時間（Ｄ１）経過後に前記生体への前記パルス列信号出力を停止し、
前記パルス緩急時間設定手段は、前記パルス緩急時間設定関数に基づいて時刻（ｔ１）におけるパルス緩急時間（Ｃ１）を設定し、前記時刻（ｔ１）から前記パルス緩急時間（Ｃ１）経過後の時刻を時刻（ｔ２）として、以降、前記時刻（ｔ１）における手順と同様の動作で、
ｎは正の整数であって、時刻（ｔｎ）において、前記パルス列出力時間設定手段は、前記暫定出力時間設定関数に基づいて、暫定出力時間（Ｂｎ）を設定し、前記パルス列信号発振手段より出力された前記パルス列信号を生体に出力開始し、
前記短縮係数設定手段は、前記高周波変化カーブ関数に基づいて、前記時刻（ｔｎ）における短縮係数（Ｋｎ）を設定し、
前記パルス列出力時間設定手段は、前記暫定出力時間（Ｂｎ）に前記短縮係数（Ｋｎ）を乗じた時間をパルス列出力時間（Ｄｎ）とし、前記時刻（ｔｎ）から前記パルス列出力時間（Ｄｎ）経過後に前記生体への前記パルス列信号出力を停止し、
前記パルス緩急時間設定手段は、前記パルス緩急時間設定関数に基づいて時刻（ｔｎ）におけるパルス緩急時間（Ｃｎ）を設定し、前記時刻（ｔｎ）から前記パルス緩急時間（Ｃｎ）経過後の時刻を時刻（ｔｎ＋１）として動作して電気的刺激を前記生体に与えることを特徴とする波形発生装置。
【請求項２】
前記パルス列出力時間設定手段は、前記暫定出力時間（Ｂ）の設定回数があらかじめ定めた回数となる毎に、前記パルス列信号を基準電位に対して正極性と負極性とを交互に切り替えることを特徴とする請求項１に記載の波形発生装置。
【請求項３】
前記高周波変化カーブ関数は、正弦関数であって、Ａ０、Ｋ０及びωａをあらかじめ定めた値としたとき、前記パルス列信号の周波数［Ｈｚ］＝（Ａ０＋Ｋ０ｓｉｎωａｔ）で表すことが可能なことを特徴とする請求項１又は２に記載の波形発生装置。
【請求項４】
前記短縮係数は、Ｍ０及びＫｍをあらかじめ定めた値としたとき、（Ｍ０＋Ｋｍｓｉｎωａｔ）で表すことが可能なことを特徴とする請求項３に記載の波形発生装置。
【請求項５】
前記短縮係数は、Ｍ１及びＫｎをあらかじめ定めた値としたとき、（Ｍ１＋Ｋｎｃｏｓωａｔ）で表すことが可能なことを特徴とする請求項３に記載の波形発生装置。
【請求項６】
前記暫定出力時間設定関数は、正弦関数であって、Ｋｂ、Ｂ０及びωｂをあらかじめ定めた値としたとき、前記暫定出力時間（Ｂ）＝Ｋｂ（Ｂ０＋ｓｉｎωｂｔ）で表すことが可能なことを特徴とする請求項１乃至５のいずれか１項記載の波形発生装置。
【請求項７】
前記パルス緩急時間設定関数は、正弦関数であって、Ｋｃ、Ｃ０及びωｃをあらかじめ定めた値としたとき、前記パルス緩急時間（Ｃ）＝Ｋｃ（Ｃ０＋ｓｉｎωｃｔ）で表すことが可能なことを特徴とする請求項１乃至６のいずれか１項記載の波形発生装置。
【発明の詳細な説明】
【技術分野】
【０００１】  本発明は、生体に電気刺激を与えることで筋肉トレーニング、リラクゼーション、シェイプアップ、および筋肉痛施術、疲労回復などを効果的に行う生体刺激用信号の波形発生装置に関する。
【背景技術】
【０００２】  生体表面に導子（パッド）を接触させ電気的パルス波や正弦波を与えることで筋肉に電気刺激を与え筋肉の活性化やリラックス効果が得られることは広く知られており、電気治療装置や健康器具として生体刺激用信号の波形発生装置が実用化されている。【０００３】  従来、この種の電気的生体刺激用波形発生装置では、筋収縮に効果的な数ｋＨｚ程度の比較的周波数の低い（低周波）パルス波形を発生して生体に刺激を与えていた。【０００４】  しかし、表層筋の刺激は低周波パルスで効果を出せるが、電流が届きにくい生体深部の深層筋に低周波パルスで刺激を与えるのは容易ではなく、表層筋と深層筋の両方に有効な波形として、１ｋＨｚ以下と言った低周波パルスと１０ｋＨｚ以上と言った高周波パルスとを合成した波形を発生する波形発生装置が提案されている。【０００５】  例えば、特許文献１には、通電期間と休止期間とが交互に、１〜数１００Ｈｚと言った低周波で周期的に繰返され、その通電期間は２０ｋＨｚ以上と言った高周波のパルス群からなる波形発生装置が記載されている。【０００６】  また、特許文献２には、低周波パルスの周期の一部に高周波パルスを重畳させる波形発生装置が記載されている。【０００７】  また、特許文献３には、繰り返し出力される矩形波低周波パルスを複数の高周波成分を含む矩形波を生成する様にパルス幅変調して出力する波形発生装置が記載されている。
【先行技術文献】
【特許文献】
【０００８】
【特許文献１】特開昭６１−７６１７０号公報
【特許文献２】特開２０１０−５７８０５号公報
【特許文献３】特開２００１−２５９０４８号公報
【発明の概要】
【発明が解決しようとする課題】
【０００９】  特許文献１および特許文献２に記載の波形発生装置においては、高周波パルスの周波数が一定であるため、効果が深層筋の限られた範囲となるという課題があった。【００１０】  また、特許文献３に記載の波形発生装置においては、高周波が複数の周波数成分をふくむので深層筋の広い範囲に一定の効果があるが、必ずしも十分ではない。【００１１】  体感実験を繰り返し、高周波パルスの周波数を時間経過と共に変化させると深層筋の広い範囲に大きな効果があることを見出したが、周波数下降時にチクチク（あるいはチリチリ、ビリビリ）といった不快な刺激感を生じることが判明したが、特許文献３に記載の波形発生装置においては、その課題及び対策について開示も示唆もされていない。【００１２】  本発明は、この様な問題点を解決するものであり、広い範囲の深層筋に大きな効果があり、かつ、含まれる高周波パルスの周波数下降時に生じるチクチクといった不快な刺激感を低減した波形発生装置を提供することを目的とする。
【課題を解決するための手段】
【００１３】  本発明の波形発生装置は、パルス列信号発振手段、短縮係数設定手段、パルス列出力時間設定手段とパルス緩急時間設定手段とを備える。【００１４】  パルス列信号発振手段は、１００ｋＨｚ以上、１ＭＨｚ以下の高周波パルスであって、時刻（ｔ）の経過に従ってあらかじめ定めた高周波変化カーブ関数に基づいて、高周波パルスの周波数が第１の周波数と第１の周波数より低い第２の周波数の間を、変化するパルス列信号を発振する。【００１５】  短縮係数設定手段は、時刻（ｔ）の経過に従って第１の周波数においての短縮係数（Ｋ）を最大値としての数値の「１」とし、第２の周波数において短縮係数（Ｋ）が最も小さくなる数値とし、第１の周波数と第２の周波数との間の高周波パルスの各周波数における短縮係数（Ｋ）を高周波変化カーブ関数に基づいて、若しくは、時刻（ｔ）の経過に従って高周波変化カーブ関数の増加傾斜度が最大時の短縮係数（Ｋ）を最大値としての数値の「１」とし、高周波変化カーブ関数の減少傾斜度が最大時において短縮係数（Ｋ）が最も小さくなる数値とし、高周波変化カーブ関数の増加傾斜度が最大時と減少傾斜度が最大時との間の高周波パルスの各周波数における短縮係数（Ｋ）を高周波変化カーブ関数に基づいて、設定する。【００１６】  パルス列出力時間設定手段は、時刻（ｔ）の経過に従って、あらかじめ定めた暫定出力時間設定関数に基づいて、暫定出力時間（Ｂ）を設定し、暫定出力時間（Ｂ）と短縮係数（Ｋ）とからパルス列出力時間（Ｄ）を設定する。【００１７】  パルス緩急時間設定手段は、パルス列出力時間（Ｄ）とパルス列出力時間（Ｄ）に続く休止期間との合計時間をパルス緩急時間（Ｃ）としたとき、パルス緩急時間（Ｃ）は１００μ秒以上の時間で、かつ、暫定出力時間（Ｂ）より長い時間であって、時刻（ｔ）の経過に従って、あらかじめ定めたパルス緩急時間設定関数に基づいて、パルス緩急時間（Ｃ）を設定する。【００１８】  時刻（ｔ）の経過と共にパルス列信号発振手段は高周波変化カーブ関数に基づいてパルス列信号をパルス緩急時間設定手段及びパルス列出力時間設定手段に出力する。【００１９】  動作を開始する時刻（ｔ１）において、パルス列出力時間設定手段は、暫定出力時間設定関数に基づいて、暫定出力時間（Ｂ１）を設定し、パルス列信号発振手段より出力されたパルス列信号を生体に出力開始する。【００２０】  短縮係数設定手段は、高周波変化カーブ関数に基づいて、時刻（ｔ１）における短縮係数（Ｋ１）を設定する。【００２１】  パルス列出力時間設定手段は、暫定出力時間（Ｂ１）に短縮係数（Ｋ１）を乗じた時間をパルス列出力時間（Ｄ１）とし、時刻（ｔ１）からパルス列出力時間（Ｄ１）経過後に生体へのパルス列信号出力を停止する。【００２２】  パルス緩急時間設定手段は、パルス緩急時間設定関数に基づいて時刻（ｔ１）におけるパルス緩急時間（Ｃ１）を設定し、時刻（ｔ１）からパルス緩急時間（Ｃ１）経過後の時刻を時刻（ｔ２）として、以降、時刻（ｔ１）における手順と同様の動作で、時刻（ｔｎ）において、パルス列出力時間設定手段は、暫定出力時間設定関数に基づいて、暫定出力時間（Ｂｎ）を設定し、パルス列信号発振手段より出力されたパルス列信号��生体に出力開始する。【００２３】  短縮係数設定手段は、高周波変化カーブ関数に基づいて、時刻（ｔｎ）における短縮係数（Ｋｎ）を設定する。【００２４】  パルス列出力時間設定手段は、暫定出力時間（Ｂｎ）に短縮係数（Ｋｎ）を乗じた時間をパルス列出力時間（Ｄｎ）とし、時刻（ｔｎ）からパルス列出力時間（Ｄｎ）経過後に生体へのパルス列信号出力を停止する。【００２５】  パルス緩急時間設定手段は、パルス緩急時間設定関数に基づいて時刻（ｔｎ）におけるパルス緩急時間（Ｃｎ）を設定し、時刻（ｔｎ）からパルス緩急時間（Ｃｎ）経過後の時刻を時刻（ｔｎ＋１）として動作して電気的刺激を生体に与える構成を採る。
【発明の効果】
【００２６】  本発明によれば、暫定出力時間に高周波パルスの周波数或いは周波数変化の傾斜度に基づく短縮係数を乗じて、パルス列出力時間を調整することにより、広い範囲の深層筋に大きな効果があり、かつ、含まれる高周波パルスの周波数下降時に生じるチクチクといった不快な刺激感を低減した波形発生装置を提供できる。
【図面の簡単な説明】
【００２７】
【図１】本発明の一実施の形態に係る波形発生装置の構成を示すブロック図
【図２】本発明の一実施の形態に係る波形発生装置が発生するパルス列信号と短縮係数の設定を模式的に説明する為の図
【図３】本発明の一実施の形態に係る波形発生装置が出力する波形の設定手順を模式的に説明する為の図
【図４】本発明の一実施の形態に係る波形発生装置が発生するパルス列信号と短縮係数の関係を説明する為の図
【図５】本発明の一実施の形態に係る波形発生装置が出力する波形モデルを示す図
【発明を実施するための形態】
【００２８】  以下、本発明の一実施の形態について図面を参照して詳細に説明する。
【００２９】  図１は、本発明の一実施の形態に係る波形発生装置の構成を示すブロック図であり、ＣＰＵ（Ｃｅｎｔｒａｌ  Ｐｒｏｃｃｅｓｓｉｎｇ  Ｕｎｉｔ）１、パルス列信号発振部２、短縮係数設定部３、パルス列出力時間＆パルス緩急時間設定部４、出力制御部５、操作パネル６及び出力端子７を備える。
【００３０】  図２は、本発明の一実施の形態に係る波形発生装置が発生するパルス列信号と短縮係数の設定を模式的に説明する為の図である。
【００３１】  図２ａは、パルス列信号発振部２で発振するパルス列信号を縦軸を振幅レベルで示し、横軸を時刻の推移で示す図であり、パルス列信号の周波数は変化していない状態を示している。
【００３２】  図２ｂは、パルス列信号発振部２で発振するパルス列信号を、縦軸を高周波パルスの周波数で示し、横軸を時刻の推移で示し、右側の縦軸で短縮係数を高周波パルスの周波数に基づいて設定する場合を説明する為の図である。
【００３３】  図２ｃは、縦軸を高周波変化カーブに基づく高周波パルスの周波数の傾斜度を増加をプラス（＋）、減少をマイナス（−）で示し、横軸を時刻の推移で示し右側の縦軸で短縮係数を高周波パルス周波数の傾斜度に基づいて設定する場合を図２ｂの高周波パルスの周波数変化と関連付けて説明する為の図である。
【００３４】  図３は、本発明の一実施の形態に係る波形発生装置が出力する波形の設定手順を模式的に説明する為の図である。
【００３５】  図３ａは、パルス緩急時間（Ｃ）の変化曲線と暫定出力時間（Ｂ）の変化曲線とから必要とする各時刻におけるパルス緩急時間（Ｃ）と暫定出力時間（Ｂ）との設定手順を説明する為の図である。
【００３６】  図３ｂは、図３ａで得た各時刻に於けるパルス緩急時間（Ｃ）、暫定出力時間（Ｂ）と図２で得られた同各設定時刻における短縮係数とから、波形発生装置が出力する波形の設定手順を説明する為の図である。
【００３７】  図４は、本発明の一実施の形態に係る波形発生装置が発生するパルス列信号と短縮係数の関係を説明する為の図である。
【００３８】  図４ａは、高周波変化カーブ関数が正弦関数で表せる場合で、縦軸を周波数、縦軸を時刻推移として第１の周波数と第２の周波数の間で繰り返し変化するパルス列信号の状態を示す図である。
【００３９】  図４ｂは、縦軸が短縮係数であって、短縮係数が高周波パルスの周波数に基づいて設定する場合の、図４ａの繰り返し周波数に同期して短縮係数が変化する状態を示す図である。
【００４０】  図４ｃは、縦軸が短縮係数であって、短縮係数が高周波パルスの増減傾斜度に基づいて設定する場合の、パルス列信号が正弦関数に基づく図４ａで示される場合に短縮係数は正弦関数の傾斜度を示す余弦式に基づく短縮係数の変化を示す図である。
【００４１】  図５は、本発明の一実施の形態に係る波形発生装置が出力する波形モデルを示す図である。
【００４２】  操作パネル６での、「シェイプアップ」「筋肉トレーニング」「インナートレーニング」「リラクゼーション」といったモード設定および使用者が設定した出力強度値に基づき、ＣＰＵ１は、パルス列信号発振部２、短縮係数設定部３、パルス列出力時間＆パルス緩急時間設定部４と出力制御部５を制御して、適切な電気的刺激を出力端子７より生体に与える。
【００４３】  図２を用いて、パルス列信号発振部２が発振する高周波パルスの周波数から短縮係数設定部３が短縮係数を設定する手順を説明する。
【００４４】  図２ｂで示す様に、パルス列信号発振部２が、時刻ｔ（ａ）からｔ（ｃ）までを１周期とする高周波変化カーブ関数に基づく高周波パルス周波数曲線２０１で示す様に周波数が変化する高周波パルスを発振すると、最も高い周波数が、時刻ｔ（ａ）及び時刻ｔ（ｃ）における第１の周波数２０２であり、最も低い周波数が、時刻ｔ（ｂ）の第２の周波数２０３となる。
【００４５】  図２ｂの右縦軸に示す様に、最も高い周波数である第１の周波数２０２における短縮係数は固定値である数値の「１」であり、最も低い周波数である第２の周波数２０３における短縮係数は、例えば「シェイプアップ」といったモードにより、最適値を、実験により、例えば、数値の「０．３」と言う様に決める。
【００４６】  時刻ｔ（ａ）と時刻ｔ（ｃ）の間の任意の時刻において、高周波パルス周波数曲線２０１に基づき周波数が決まり、決まった周波数により、第１の周波数２０２の短縮係数「１」と第２の周波数２０３の短縮係数「０．３」とから比例配分によって、短縮係数が決まる。
【００４７】  時刻ｔ（ａ）と時刻ｔ（ｃ）の間を１周期として周波数と短縮係数が変化しているので、時刻ｔ（ａ）と時刻ｔ（ｃ）の間以外の任意の時刻における周波数及び短縮係数も、同様に設定できる。
【００４８】  次に、短縮係数が高周波変化カーブ関数の傾斜度に基づいて設定する場合について説明する。
【００４９】  図２ｂで示す様に、パルス列信号発振部２が、時刻ｔ（ａ）からｔ（ｃ）までを１周期とする高周波パルス周波数曲線２０１で示す様に周波数が変化する高周波パルスを発振すると、高周波パルス周波数曲線２０１の傾斜度の変化から図２ｃで示す様な傾斜度曲線２０４が得られる。
【００５０】  １周期となる時刻ｔ（ａ）から時刻ｔ（ｃ）の間で、増加傾斜度が最大値なるのが時刻ｔ（ｄ）で、最大増加傾斜度２０５における短縮係数を固定値の「１」とし、減少傾斜度が最大となるのが時刻ｔ（ｅ）で、最大減少傾斜度２０６における短縮係数を、モードにより、例えば「０．８」と決める。
【００５１】  任意の時刻において、傾斜度曲線２０４に基づき傾斜度が決まり、決まった傾斜度により、増加傾斜度が最大時の短縮係数「１」と減少傾斜度が最大時の短縮係数「０．８」とから比例配分によって、任意の時刻における短縮係数を設定できる。
【００５２】  図３を用いて、パルス列出力時間＆パルス緩急時間設定部４の動作を説明する。図３ａにおいて、縦軸は時間であり、横軸は時刻の推移であり、１００μ秒（破線３０３）以上の時間の長さで時刻の経過と共に変化するパルス緩急時間設定曲線３０１と、パルス緩急時間設定曲線３０１より時間の長さが短い暫定出力時間設定曲線３０２とを示していて、各モードによって、あらかじめ、ＣＰＵ１で、それらの曲線は設定されている。
【００５３】  時刻ｔ１（「ｔ」のみならず「Ｂ」「Ｃ」「Ｄ」も、図３においては、下付き文字の代わりに普通文字列で記載している）で動作を開始すると、時刻ｔ１におけるパルス緩急時間Ｃ１をパルス緩急時間設定曲線３０１により求める。
【００５４】  時刻ｔ１からパルス緩急時間Ｃ１経過後の時刻を時刻ｔ２として、時刻ｔ２におけるパルス緩急時間Ｃ２をパルス緩急時間設定曲線３０１により求める。
【００５５】  同様に、時刻ｔ２からパルス緩急時間Ｃ２経過後の時刻を時刻ｔ３として、時刻ｔ３におけるパルス緩急時間Ｃ３をパルス緩急時間設定曲線３０１により求めると言う様に、パルス緩急時間（Ｃ）を求め、時刻ｔｎを設定していく。
【００５６】  各時刻ｔ１，ｔ２，ｔ３，ｔｎは高周波パルス列を出力制御部５に出力開始する時刻となる。
【００５７】  図３ｂにおいては、時刻ｔ１に、基準電位に対して、正極性の高周波パルス列を出力する場合を示している。
【００５８】  時刻ｔ１では暫定出力時間Ｂ１を暫定出力時間設定曲線３０２により求めると共に、先に図２を用いて説明したのと同様の手順で、時刻ｔ１における短縮係数Ｋ１を求め、暫定出力時間Ｂ１に短縮係数Ｋ１を乗じた値をパルス列出力時間Ｄ１として、時刻ｔ１からパルス列出力時間Ｄ１経過後に出力制御部５に出力していた高周波パルス列の出力を停止する。
【００５９】  時刻ｔ２になると、パルス列出力時間＆パルス緩急時間設定部４は、再び、高周波パルス列を出力制御部５に、ＣＰＵ１により暫定出力時間（Ｂ）の設定回数を「２」と設定してあった場合、設定回数２回目として、時刻ｔ１の場合と同様に正極性の高周波パルス列を出力制御部５に出力開始する。
【００６０】  時刻ｔ２では暫定出力時間Ｂ２を暫定出力時間設定曲線３０２により求めると共に、時刻ｔ２における短縮係数Ｋ２を求め、暫定出力時間Ｂ２に短縮係数Ｋ２を乗じた値をパルス列出力時間Ｄ２として、時刻ｔ２からパルス列出力時間Ｄ２経過後に出力制御部５に出力していた高周波パルス列の出力を停止する。
【００６１】  時刻ｔ３になると、パルス列出力時間＆パルス緩急時間設定部４は、再び、高周波パルス列を出力制御部５に、負極性の高周波パルス列を、設定回数１回目として、出力制御部５に出力開始する。
【００６２】  時刻ｔ３では暫定出力時間Ｂ３を暫定出力時間設定曲線３０２により求めると共に、時刻ｔ３における短縮係数Ｋ３を求め、暫定出力時間Ｂ３に短縮係数Ｋ３を乗じた値をパルス列出力時間Ｄ３として、時刻ｔ３からパルス列出力時間Ｄ３経過後に出力制御部５に出力していた高周波パルス列の出力を停止する。
【００６３】  以降も、同様の動作を継続する。
【００６４】  次に、図４を用いて、高周波変化カーブ関数が正弦関数であって、Ａ０、Ｋ０及びωａをあらかじめ定めた値としたとき、パルス列信号の周波数［Ｈｚ］＝（Ａ０＋Ｋ０ｓｉｎωａｔ）で表すことが可能な場合について説明する。
【００６５】  図４ａに示す様に、例えば、Ａ０＝４５０［ｋＨｚ］、Ｋ０＝１５０［ｋＨｚ］、ｆａ＝ωａ／２π＝２．０［Ｈｚ］の場合、高周波パルス列は、２．０［Ｈｚ］の周期（破線４１０）で、第１の周波数４０１が６００［ｋＨｚ］、第２の周波数４０２が３００［ｋＨｚ］となり、任意の時刻における高周波パルスの周波数を容易に算出できる。
【００６６】  ここで、短縮係数を、Ｍ０及びＫｍをあらかじめ定めた値としたとき、（Ｍ０＋Ｋｍｓｉｎωａｔ）で表すことが可能な場合について説明する。
【００６７】  図４ｂで示す様に、例えば、Ｍ０＝０．８、Ｋｍ＝０．２の場合、第１の周波数６００［ｋＨｚ］での短縮係数＝１（破線４０３）となり、第２の周波数３００［ｋＨｚ］での短縮係数＝０．６（破線４０４）となり、任意の時刻における短縮係数も容易に算出できる。
【００６８】  図４ａで示す様に、パルス列信号の周波数［Ｈｚ］＝（Ａ０＋Ｋ０ｓｉｎωａｔ）で表すことが可能な場合、高周波変化カーブ関数の傾斜度による短縮係数は、図４ｃで示す様に、ｃｏｓωａｔを含む式で表すことが可能となり、短縮係数を高周波変化カーブ関数の傾斜度に基づいて設定する場合も、Ｍ１及びＫｎをあらかじめ定めた値としたとき、（Ｍ１＋Ｋｎｃｏｓωａｔ）といった式で、最大増加傾斜度における短縮係数４０５が数値の「１」で、最大減少傾斜度における短縮係数４０６として動作モードに応じて適切な値を設定すれば、任意の時刻における短縮係数を容易に算出できる。
【００６９】  図示していないが、暫定出力時間設定関数が正弦関数であって、例えば、Ｋｂ＝１２０［μ秒］、Ｂ０＝２．０及びｆｂ＝ωｂ／２π＝０．５［Ｈｚ］とし、暫定出力時間（Ｂ）＝Ｋｂ（Ｂ０＋ｓｉｎωｂｔ）で表すことが可能な場合、任意の時刻における暫定出力時間（Ｂ）を容易に算出できる。
【００７０】  暫定出力時間（Ｂ）は、１０μ秒以上、５００μ秒以下が望ましいことが、体感実験に基づき判明した。
【００７１】  図示していないが、パルス緩急時間設定関数が正弦関数であって、例えば、Ｋｃ＝３６０［μ秒］、Ｃ０＝１及びｆｃ＝ωｃ／２π＝０．７５［Ｈｚ］とし、パルス緩急時間（Ｃ）＝Ｋｃ（Ｃ０＋ｓｉｎωｃｔ）で表すことが可能な場合、任意の時刻におけるパルス緩急時間（Ｃ）を容易に算出できる。
【００７２】  図５では、暫定出力時間（Ｂ）の設定回数が「１」の場合、すなわち、パルス列出力時間（Ｄ）経過後のパルス列信号出力開始毎に毎回、基準電位に対してパルス列信号を正極性と負極性とを交互に切り替えて出力する場合の波形モデルを示している。
【００７３】  広い範囲の深層筋に大きな効果があるパルス列群のパルス周波数は、１００ｋＨｚ以上、１ＭＨｚ以下の高周波が望ましいことが、体感実験に基づき判明した。
【００７４】  以上説明した様に、本実施の形態によれば、暫定出力時間（Ｂ）に高周波パルスの周波数或いは周波数変化の傾斜度に基づく短縮係数（Ｋ）を乗じて、パルス列出力時間（Ｄ）を調整することにより、広い範囲の深層筋に大きな効果があり、かつ、含まれる高周波パルスの周波数降下時に生じるチクチクといった不快な刺激感を低減した波形発生装置を提供できる。
【００７５】  以上の説明は本発明の好適な実施の形態の例証であり、本発明の範囲はこれに限定されることはない。
【００７６】  例えば、パルス列信号の強度は時刻が経過しても一定であるような図で説明したが、本発明はこれに限定せず、変化しても良い。
【００７７】  また、各部の構成をハードウエアで実施してもソフトウエアで実施しても、それらのハイブリッドで構成しても良い。
【００７８】  また、図４ａで示す様にパルス列信号の周波数［Ｈｚ］＝（Ａ０＋Ｋ０ｓｉｎωａｔ）で表すことが可能な場合に、短縮係数＝（Ｍ０＋Ｋｍｓｉｎωａｔ）と時刻を厳密に一致させる場合で説明したが、本発明はこれに限定せず、短縮係数＝（Ｍ０＋Ｋｍｓｉｎ（ωａｔ＋φａ））で表せるような９０度以内の位相のずれ「φａ」を含んでいても良い。
【産業上の利用の可能性】
【００７９】  本発明に係る波形発生装置は、生体に電気刺激を与えることで筋肉トレーニング、リラクゼーション、シェイプアップ、および筋肉痛施術、疲労回復などを効果的に行う生体刺激用信号の波形発生装置として好適である。
【符号の説明】
【００８０】  １  ＣＰＵ
２  パルス列信号発振部
３  短縮係数設定部
４  パルス列出力時間＆パルス緩急時間設定部
５  出力制御部
６  操作パネル
７  出力端子
２０１  高周波パルス周波数曲線
２０２，４０１  第１の周波数
２０３，４０２  第２の周波数
２０４  傾斜度曲線
２０５  最大増加傾斜度
２０６  最大減少傾斜度
３０１  パルス緩急時間設定曲線
３０２  暫定出力時間設定曲線
４０３  第１の周波数における短縮係数
４０４  第２の周波数における短縮係数
４０５  最大増加傾斜度における短縮係数
４０６  最大減少傾斜度における短縮係数
【図１】
2020130994.tif 000003
【図２】
2020130994.tif 000004
【図３】
2020130994.tif 000005
【図４】
2020130994.tif 000006
【図５】
2020130994.tif 000007